(57)【特許請求の範囲】
【請求項１】
透液性トップシートと、不透液性バックシートと、それらシートの間に介在する吸液性コアと、前記トップシートの外面で環状に延びる液抵抗性の第１防漏シートとを備えた積層パネルで構成され、前記パネルが、互いに対向して縦方向へ延びる両側縁部と、互いに対向して横方向へ延びる前後端縁部とを有し、前記第１防漏シートの外周縁部が、前記トップシートに固着されて前記第１防漏シートの略中央部に第１開口部が画成され、前記第１防漏シートの内周縁部が、前記第１開口部に沿って弾性的な伸縮性を有する使い捨ておむつにおいて、
前記第１防漏シートが、前記パネルの両側縁部の寸法を前記縦方向に二分する横中心線近傍と前記パネルの後端縁部との間に延びる後半部分に位置し、前記第１防漏シートと並存して環状に延びる液抵抗性の第２防漏シートが、前記横中心線と前記パネルの前端縁部との間に延びる前半部分に位置し、前記第２防漏シートの外周縁部が、前記トップシートに固着されて前記第２防漏シートの略中央部に第２開口部が画成され、前記第２防漏シートの内周縁部が、前記第２開口部に沿って弾性的な伸縮性を有することを特徴とする前記おむつ。
【請求項２】
前記第１防漏シートと前記第２防漏シートとを囲繞して環状に延びる第３防漏シートが、前記パネルの前半部分と後半部分とに位置し、前記第３防漏シートの外周縁部が、前記パネルの周縁部に固着されて前記第３防漏シートの略中央部に第３開口部が画成され、前記第３防漏シートの内周縁部が、前記第３開口部に沿って弾性的な伸縮性を有する請求項１記載のおむつ。
【請求項３】
前記第１防漏シートと前記第２防漏シートとの外周縁部が、前記第３防漏シートの外周縁部よりも前記パネルの内側に位置し、前記第１，２防漏シートの外周縁部と前記第３防漏シートの外周縁部との間で前記トップシートが露出している請求項２記載のおむつ。
【請求項４】
前記第１防漏シートと前記第２防漏シートとの内周縁部が、前記第３防漏シートの内周縁部よりも前記パネルの内側に位置し、前記第１開口部と前記第２開口部との全域が、前記第３開口部から露出している請求項２または請求項３記載のおむつ。
【請求項５】
前記第１〜３防漏シートが不織布で形成され、前記第１〜３防漏シートの耐水圧が、前記第１防漏シート＞前記第２防漏シート≧前記第３防漏シートの関係にある請求項２ないし請求項４いずれかに記載のおむつ。
【発明の詳細な説明】
【０００１】
【発明の属する技術分野】
本発明は、排泄された体液を吸収、保持する使い捨ておむつに関する。
【０００２】
【従来の技術】
特開平５−２７７１４９号公報は、透液性トップシートと、不透液性バックシートと、それらシートの間に介在する吸液性コアと、トップシートの外面に位置して環状に延びる液抵抗性の防漏シートとを備え、防漏シートの外周縁部が、トップシートの上面に接合されて防漏シートの略中央部に縦方向へ長い開口部が画成され、防漏シートの開口部の周縁部に縦方向へ伸縮する弾性部材が取り付けられた使い捨ておむつを開示している。おむつは、トップシートの上面に環状に延びる防漏シートを取り付けることで、おむつの両側縁部と前後端縁部とからの排泄物の漏れを防ぐことができる。
【０００３】
【発明が解決しようとする課題】
特開平５−２７７１４９号公報に開示のおむつは、開口部内に排泄された尿と便とを分離することができないので、トップシートの上面を流動する尿と軟便、水様便とが混じり合ってしまったり、固形の便であっても尿と混じり合って軟便化してしまうことがある。尿と便との混合物が着用者の肌に付着した場合、着用者が不快感を覚える。
【０００４】
本発明の課題は、排泄された尿と便とがおむつの両側縁部と前後端縁部とから漏れることを防ぎつつ、それら尿と便とが混じり合うことを防いで不快感がない使い捨ておむつを提供することにある。
【０００５】
【課題を解決するための手段】
前述した課題を解決するための本発明は、透液性トップシートと、不透液性バックシートと、それらシートの間に介在する吸液性コアと、前記トップシートの外面で環状に延びる液抵抗性の第１防漏シートとを備えた積層パネルで構成され、前記パネルが、互いに対向して縦方向へ延びる両側縁部と、互いに対向して横方向へ延びる前後端縁部とを有し、前記第１防漏シートの外周縁部が、前記トップシートに固着されて前記第１防漏シートの略中央部に第１開口部が画成され、前記第１防漏シートの内周縁部が、前記第１開口部に沿って弾性的な伸縮性を有する使い捨ておむつを改良することにある。
【０００６】
改良にかかる本発明の特徴は、前記第１防漏シートが、前記パネルの両側縁部の寸法を前記縦方向に二分する横中心線近傍と前記パネルの後端縁部との間に延びる後半部分に位置し、前記第１防漏シートと並存して環状に延びる液抵抗性の第２防漏シートが、前記横中心線と前記パネルの前端縁部との間に延びる前半部分に位置し、前記第２防漏シートの外周縁部が、前記トップシートに固着されて前記第２防漏シートの略中央部に第２開口部が画成され、前記第２防漏シートの内周縁部が、前記第２開口部に沿って弾性的な伸縮性を有することにある。
【０００７】
本発明の実施の態様の一例としては、前記第１防漏シートと前記第２防漏シートとを囲繞して環状に延びる第３防漏シートが、前記パネルの前半部分と後半部分とに位置し、前記第３防漏シートの外周縁部が、前記パネルの周縁部に固着されて前記第３防漏シートの略中央部に第３開口部が画成され、前記第３防漏シートの内周縁部が、前記第３開口部に沿って弾性的な伸縮性を有する。
【０００８】
本発明の実施の態様の他の一例としては、前記第１防漏シートと前記第２防漏シートとの外周縁部が、前記第３防漏シートの外周縁部よりも前記パネルの内側に位置し、前記第１，２防漏シートの外周縁部と前記第３防漏シートの外周縁部との間で前記トップシートが露出している。
【０００９】
本発明の実施の態様の他の一例としては、前記第１防漏シートと前記第２防漏シートとの内周縁部が、前記第３防漏シートの内周縁部よりも前記パネルの内側に位置し、前記第１開口部と前記第２開口部との全域が、前記第３開口部から露出している。
【００１０】
本発明の実施の態様の他の一例としては、前記第１〜３防漏シートが不織布で形成され、前記第１〜３防漏シートの耐水圧が、前記第１防漏シート＞前記第２防漏シート≧前記第３防漏シートの関係にある。
【００１１】
【発明の実施の形態】
添付の図面を参照して、本発明に係る使い捨ておむつの詳細を説明すると、以下のとおりである。
【００１２】
図１は、使い捨ておむつの部分破断斜視図である。おむつは、透液性トップシート２と、不透液性バックシート３と、トップシート２とバックシート３との間に介在する吸液性コア４と、トップシート２の外面の側で環状に延びる液抵抗性の第１防漏シート５と、トップシート２の外面の側で第１防漏シート５と並存して環状に延びる液抵抗性の第２防漏シート６とを備えた積層パネル１で構成されている。パネル１は、縦方向に前胴周り域２０と、後胴周り域２２と、前後胴周り域２０，２２との間に位置する股下域２１とを有し、互いに対向して縦方向へ延び、股下域２１においてパネル１の内方へ向かって弧を画く両側縁部１ａと、互いに対向して横方向へ延びる前後端縁部１ｂ，１ｃとを有する。パネル１の両側縁部１ａには、互いに対向離間して縦方向へ延びる一対の液抵抗性の側部シート１７が取り付けられている。
【００１３】
第１防漏シート５は、パネル１の両側縁部１ａの寸法を縦方向に二分する横中心線Ｙ近傍とパネル１の後端縁部１ｃとの間に延びる後半部分１ｅに位置し、環状に延びる外周縁部５ａと、外周縁部５ａの内側で環状に延びる内周縁部５ｂと、互いの当接下に接合された縦方向両端部５ｃとを有する。
【００１４】
第１防漏シート５の略中央部には、股下域２１の略半分と後胴周り域２２の略半分とが露出する縦方向に長い第１開口部８が画成されている。第１開口部８ではトップシート２が露出している。第１防漏シート５の内周縁部５ｂには、弾性伸縮性部材１１が伸長状態で取り付けられている。
【００１５】
第２防漏シート６は、横中心線Ｙ近傍とパネル１の前端縁部１ｂとの間に延びる前半部分１ｄに位置し、環状に延びる外周縁部６ａと、外周縁部６ａの内側で環状に延びる内周縁部６ｂと、互いの当接下に接合された縦方向両端部６ｃとを有する。
【００１６】
第２防漏シート６の略中央部には、股下域２１の略半分と前胴周り域２０の略半分とが露出する縦方向に長い第２開口部９が画成されている。第２開口部９ではトップシート２が露出している。第２防漏シート６の内周縁部６ｂには、弾性伸縮性部材１２が伸長状態で取り付けられている。
【００１７】
パネル１の両側縁部１ａには、縦方向へ延びる脚周り用弾性部材１４が伸長状態で取り付けられ、パネル１の前後端縁部１ｂ，１ｃには、横方向へ延びるフィルム状の胴周り用弾性部材１５がトップシート２とバックシート３との間に介在し、それらシート２，３のうちの少なくとも一方の内面に伸長状態で取り付けられている。後胴周り域２２におけるパネル１の両側縁部１ａには、横方向内方へ延びるテープファスナ１６が取り付けられている。
【００１８】
図１では、第１，２防漏シート５，６に取り付けられた弾性部材１１，１２と脚周り用弾性部材１４と胴周り用弾性部材１５との伸長状態が解除され、第１，２防漏シート５，６の内周縁部５ｂ，６ｂとパネル１の両側縁部１ａとパネル１の前後端縁部１ｂ，１ｃとに沿ってギャザーが形成されている。
【００１９】
図２，３は、図１のＡ−Ａ線矢視断面を示すおむつの斜視図と、図１のＢ−Ｂ線矢視断面を示すおむつの斜視図とであり、図４は、図１のＣ−Ｃ線矢視断面図である。第１防漏シート５は、その外周縁部５ａの一部がパネル１の内方へ折曲された状態で、トップシート２の外面に固着され、その内周縁部５ｂの一部がパネル１の内方へ折曲されて弾性部材１１を被覆している。第１防漏シート５の縦方向両端部５ｃでは、縦方向両端部５ｃの固着域がパネル１の縦方向外方へ向かって延びている。
【００２０】
第２防漏シート６は、第２防漏シート６の外周縁部６ａの一部がパネル１の内方へ折曲された状態で、トップシート２の外面に固着され、第２防漏シート６の内周縁部６ｂの一部がパネル１の内方へ折曲されて弾性部材１２を被覆している。第２防漏シート６の縦方向両端部６ｃでは、縦方向両端部６ｃの固着域がパネル１の縦方向外方へ向かって延びている。
【００２１】
パネル１が、その内面を内側にして縦方向と横方向とに湾曲すると、第１防漏シート５とトップシート２とがパネル１の内方へ向かって開口するポケットＰ１を形成し、第２防漏シート６とトップシート２とがパネル１の内方へ向かって開口するポケットＰ２を形成する。
【００２２】
パネル１では、トップシート２の両側縁部２ａがコア４の両側縁部４ａから横方向外方へわずかに延び、バックシート３の両側縁部３ａと側部シート１７とがトップシート２の両側縁部２ａからさらに横方向外方へ延びている。トップシート２の両側縁部２ａは、バックシート３と側部シート１７との間に介在し、バックシート３と側部シート１７との少なくとも一方の内面に固着されている。バックシート３と側部シート１７とは、それらシート３，１７が互いに重なり合う部分で固着されている。バックシート３と側部シート１７との間には、脚周り用弾性部材１４が介在し、それらシート３，１７のうちの少なくとも一方の内面に伸長状態で取り付けられている。コア４は、トップシート２とバックシート３との少なくとも一方の内面に接合されている。
【００２３】
パネル１は、テープファスナ１６の自由端部の内面に塗布された粘着剤を介して、前胴周り域２０におけるバックシート３の外面に取り付けられたターゲットテープにテープファスナ１６を止着すると、左右一対の脚周り開口と、胴周り開口とが形成される（図示せず）。
【００２４】
パネル１は、パネル１の前半部分１ｄで開口する第２開口部９内に排泄された尿がトップシート２を通してコア４に吸収され、パネル１の後半部分１ｅで開口する第１開口部８内に排泄された便がトップシート２を通してコア４に吸収される。第１防漏シート５と第２防漏シート６とは、パネル１の前後半部分１ｄ，１ｅにおいて尿吸収域と便吸収域とを分離する機能を有するので、第１防漏シート５と第２防漏シート６とが障壁となって、第１開口部８内に排泄された便が第２開口部９内に侵入することや第２開口部９内に排泄された尿が第１開口部８内に侵入することを防止することができ、尿と便とが互いに混じり合ってしまうことを防ぐことができる。パネル１では、排泄された便をポケットＰ１に収容することができるので、大量の便が排泄されたとしても、便が第２開口部８内へ侵入することを防止することができる。
【００２５】
パネル１では、トップシート２の両側縁部２ａから横方向外方へバックシート３の両側縁部３ａと側部シート１７とが延びているので、尿や便がトップシート２の両側縁部２ａへ滲入しても、バックシート３の両側縁部３ａと側部シート１７とに滲入することはできない。
【００２６】
図５は、図１とは異なる態様の使い捨ておむつの斜視図である。おむつは、トップシート２とバックシート３との間にコア４が介在し、環状に延びる液抵抗性の第１防漏シート５と、第１防漏シート５と並存して環状に延びる液抵抗性の第２防漏シート６とを備えた積層パネル１で構成されている点において図１のそれと同一である。パネル１は、トップシート２の外面の側で第１防漏シート５と第２防漏シート６とを囲繞して環状に延びる第３防漏シート７を有する。
【００２７】
第３防漏シート７は、パネル１の前半部分１ｄとパネル１の後半部分１ｅとに位置し、環状に延びる外周縁部７ａと、外周縁部７ａの内側で環状に延びる内周縁部７ｂと、互いの当接下に接合された縦方向両端部７ｃとを有する。
【００２８】
第３防漏シート７の略中央部には、前後胴周り域２０，２２の略半分と股下域２１とが露出する縦方向へ長い第３開口部１０が画成されている。第３防漏シート７の内周縁部７ｂは、第１防漏シート５と第２防漏シート６との内周縁部５ｂ，６ｂの外側に位置し、第３開口部１０が第１開口部８と第２開口部９とを囲繞している。第３開口部１０では、パネル１の前半部分１ｄにおいて第２開口部９の全域が露出し、パネル１の後半部分１ｅにおいて第１開口部８の全域が露出している。第３防漏シート７の内周縁部７ｂには、弾性伸縮性部材１３が伸長状態で取り付けられている。第３防漏シート７の外周縁部７ａからは、外周縁部７ａの周り方向外方へ液抵抗性の支持シート１８が延びている。
【００２９】
パネル１の両側縁部１ａには、縦方向へ延びる脚周り用弾性部材１４が伸長状態で取り付けられ、パネル１の前後端縁部１ｂ，１ｃには、横方向へ延びるフィルム状の胴周り用弾性部材１５が伸長状態で取り付けられている。後胴周り域２２におけるパネル１の両側縁部１ａには、横方向内方へ延びるテープファスナ１６が取り付けられている。
【００３０】
図５では、第１〜３防漏シート５，６，７に取り付けられた弾性部材１１，１２，１３と脚周り用弾性部材１４と胴周り用弾性部材１５との伸長状態が解除され、第１〜３防漏シート５，６，７の内周縁部５ｂ，６ｂ，７ｂとパネル１の両側縁部１ａとパネル１の前後端縁部１ｂ，１ｃとに沿ってギャザーが形成されている。
【００３１】
図６，７は、図５のＤ−Ｄ線矢視断面を示すおむつの斜視図と、図５のＥ−Ｅ線矢視断面を示すおむつの斜視図とであり、図８は、図５のＦ−Ｆ線矢視断面図である。第１防漏シート５は、その外周縁部５ａの一部がパネル１の内方へ折曲された状態で、トップシート２の外面に固着され、その内周縁部５ｂの一部がパネル１の内方へ折曲されて弾性部材１１を被覆している。第１防漏シート５の縦方向両端部５ｃでは、縦方向両端部５ｃの固着域がパネル１の縦方向外方へ向かって延びている。
【００３２】
第２防漏シート６は、第２防漏シート６の外周縁部６ａの一部がパネル１の内方へ折曲された状態で、トップシート２の外面に固着され、第２防漏シート６の内周縁部６ｂの一部がパネル１の内方へ折曲されて弾性部材１２を被覆している。第２防漏シート６の縦方向両端部６ｃでは、縦方向両端部６ｃの固着域がパネル１の縦方向外方へ向かって延びている。
【００３３】
第３防漏シート７は、その外周縁部７ａの一部がパネル１の内方へ折曲された状態で支持シート１８の外面に固着され、その内周縁部７ｂの一部がパネル１の内方へ折曲されて弾性部材１３を被覆している。第３防漏シート７の縦方向両端部７ｃでは、縦方向両端部７ｃの固着域がパネル１の縦方向外方へ向かって延びている。
【００３４】
パネル１では、第１，２防漏シート５，６の外周縁部５ａ，６ａと第３防漏シート７の外周縁部７ａとが互いに離間し、第１，２防漏シート５，６の外周縁部５ａ，６ａと第３防漏シート７の外周縁部７ａとの間でトップシート２が露出している。パネル１が、その内面を内側にして縦方向と横方向とに湾曲すると、第１防漏シート５とトップシート２とがパネル１の内方へ向かって開口するポケットＰ１を形成し、第２防漏シート６とトップシート２とがパネル１の内方へ向かって開口するポケットＰ２を形成するとともに、第３防漏シート７とトップシート２とがパネル１の内方へ向かって開口するポケットＰ３を形成する。
【００３５】
パネル１では、トップシート２の両側縁部２ａがコア４の両側縁部４ａから横方向外方へわずかに延出し、トップシート２の両端縁部２ｂがコア４の両端縁部４ｂから縦方向外方へわずかに延出している。バックシート３の両側縁部３ａと支持シート１８とは、トップシート２の両側縁部２ａからさらに横方向外方へ延出している。バックシート３の両端縁部３ｂと支持シート１８とは、トップシート２の両端縁部２ｂからさらに縦方向外方へ延出している。トップシートの両側縁部２ａと両端縁部２ｂとは、バックシート３と側部シート１７との間に介在し、バックシート３と側部シート１７との少なくとも一方の内面に固着されている。バックシート３と側部シート１７とは、それらシート３，１７が互いに重なり合う部分で固着されている。バックシート３と支持シート１８との間には、脚周り用弾性部材１４と胴周り弾性部材１５とが介在し、それらシート３，１７のうちの少なくとも一方の内面に伸長状態で取り付けられている。コア４は、トップシート２とバックシート３との少なくとも一方の内面に接合されている。
【００３６】
パネル１は、パネル１の前半部分１ｄで開口する第２開口部９内に排泄された尿がトップシート２を通してコア４に吸収され、パネル１の後半部分１ｅで開口する第１開口部８内に排泄された便がトップシート２を通してコア４に吸収される。パネル１は、第１，２防漏シート５，６が障壁となって、尿と便とが互いに混じり合ってしまうことを防ぐことができる。
【００３７】
このパネル１では、排泄された尿と便とが第１防漏シート５と第２防漏シート６とから漏出したとしても、第３防漏シート７が障壁となるので、排泄物がパネル１の両側縁部１ａと前後端縁部１ｂ，１ｃとから漏れてしまうことを防ぐことができる。第２開口部９内に排泄された尿が第２防漏シート６から漏出し、パネル１の後端縁部１ｃへ向かって流動した場合でも、第１，２防漏シート５，６の外周縁部５ａ，６ａと第３防漏シート７の外周縁部７ａとの間を流れることができるので、パネル１の前半部分１ｄにおける第２，３防漏シート６，７の外周縁部６ａ，７ａの間と、パネル１の後半部分１ｅにおける第１，３防漏シート５，７の外周縁部５ａ，７ａの間とにおいて尿を吸収することができる。
【００３８】
パネル１では、トップシート２の両側縁部２ａから横方向外方へバックシート３の両側縁部３ａと支持シート１８とが延び、トップシート２の両端縁部２ｂから縦方向外方へバックシート３の両端縁部３ｂと支持シート１８とが延びているので、尿や便がトップシート２の両側縁部２ａと両端縁部２ｂとへ滲入しても、バックシート３の両側縁部３ａとバックシート３の両端縁部３ｂと側部シート１７とに滲入することはできない。
【００３９】
トップシート２には、不織布や開孔プラスチックフィルム等の透液性のシート、好ましくは透液性であって親水性のシートが使用される。バックシート３と側部シート１７と支持シート１８とには、疎水性不織布、不透液性のプラスチックフィルムまたは疎水性不織布とプラスチックフィルムとのラミネートシート、好ましくは通気不透液性のシートが使用される。第１〜３防漏シート５，６，７には、通気性不織布、好ましくは通気不透液性の不織布が使用される。
【００４０】
第１〜３防漏シート５，６，７の耐水圧は、前記第１防漏シート５＞前記第２防漏シート６≧前記第３防漏シート７の関係にあり、第１防漏シート５の耐水圧が、１５０〜５００ｍｍの範囲、第２防漏シート６の耐水圧が、５０〜３００ｍｍの範囲、第３防漏シート７の耐水圧が、４０〜２００ｍｍの範囲にあることが好ましい。便には、タンパク質や脂質等の有機物が多く含まれているので、尿と比較してそれら防漏シートに対する表面張力が小さい。また、不織布を形成する繊維がポリオレフィン系樹脂である場合、便中の有機物とポリオレフィン系樹脂とが親和性を有するので、尿と比較して便が不織布に滲入し易い。ゆえに、便が第１防漏シート５に滲入し難くするため、第２，３防漏シート６，７よりも第１防漏シート５の耐水圧を高くしている。
【００４１】
防漏シート５，６，７の耐水圧を高くするためには、防漏シート５，６，７を形成する繊維の坪量を増やすとともに、繊維間隙を小さくすることが考えられる。また、防漏シート５，６，７を２層以上の不織布で形成することが考えられる。
【００４２】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００４３】
コア４は、フラッフパルプと高吸収性ポリマー粒子との混合物であり、所要の厚みに圧縮され、全体がティシュペーパ等の透水性シート（図示せず）によって被覆されている。弾性部材としては、合成ゴムや天然ゴム等のエラストマー、または、それらエラストマーを伸長状態で不織布に固着したものを使用することができる。コア４の接合、弾性部材１１，１２，１３，１４，１５の取り付け、シート２，３，５，６，７どうしの固着には、ホットメルト接着剤等の接着剤や粘着剤の他に、熱溶着の技術を利用することができる。
【００４４】
この発明は、図に示す開放型のおむつの他に、パンツ型のおむつでも実施することができる。
【００４５】
【発明の効果】
本発明に係る使い捨ておむつによれば、排泄された尿と便とのうちのいずれか一方が流動しようとしても、第１，２防漏シートが障壁となるので、それら尿と便とが混じり合ってしまうことを防ぐことができる。第１防漏シートと第２防漏シートとがトップシートの上面で環状に延びているので、尿と便とがおむつの両側縁部と前後端縁部とから漏れてしまうことを防ぐことができる。
【００４６】
第１，２防漏シートを囲繞して延びる第３防漏シートを有するおむつは、尿と便とが第１，２防漏シートから漏出しても、第３防漏シートが障壁となるので、それら尿と便との漏れ防止を向上させることができる。
【図面の簡単な説明】
【図１】使い捨ておむつの部分破断斜視図。
【図２】図１のＡ−Ａ線矢視断面を示すおむつの斜視図。
【図３】図１のＢ−Ｂ線矢視断面を示すおむつの斜視図。
【図４】図１のＣ−Ｃ線矢視断面図。
【図５】図１とは異なる態様のおむつの斜視図。
【図６】図５のＤ−Ｄ線矢視断面を示すおむつの斜視図。
【図７】図５のＥ−Ｅ線矢視断面を示すおむつの斜視図。
【図８】図５のＦ−Ｆ線矢視断面図。
【符号の説明】
１          積層パネル
１ａ        両側縁部
１ｂ        前端縁部
１ｃ        後端縁部
１ｄ        前半部分
１ｅ        後半部分
２          透液性トップシート
３          不透液性バックシート
４          吸液性コア
５          第１防漏シート
５ａ        外周縁部
５ｂ        内周縁部
６          第２防漏シート
６ａ        外周縁部
６ｂ        内周縁部
７          第３防漏シート
７ａ        外周縁部
７ｂ        内周縁部
８          第１開口部
９          第２開口部
１０          第３開口部
１１          弾性伸縮性部材
１２          弾性伸縮性部材
１３          弾性伸縮性部材
Ｙ          横中心線
【図１】
0003550056.tif 000002
【図２】
0003550056.tif 000003
【図３】
0003550056.tif 000004
【図４】
0003550056.tif 000005
【図５】
0003550056.tif 000006
【図６】
0003550056.tif 000007
【図７】
0003550056.tif 000008
【図８】
0003550056.tif 000009